(57)【要約】【課題】二次電池を組み上げた後に、接続端子部としてのボルトを取り付けることができる二次電池の端子構造、二次電池及び二次電池モジュールを提供する。【解決手段】正電極端子３は、正電極板３０と、接続部３１と、ボルト３２と、ボルト固定部４０と、を備えて概略構成されている。ボルト３２は、基部３２０と、ねじ山部３２１と、凸部３２２と、を備え、基部３２０は、接続部３１の挿入孔３１３を介してボルト固定部４０の挿入孔４４に挿入される。ボルト３２は、矢印Ｃ方向に回転すると、基部３２０の先端部が可動部４１に接触し、端部４３によって矢印Ｃ方向の回転を規制され、また可動部４１の側面部によって矢印Ｃ方向とは反対の方向の回転を規制される。よって容易に二次電池２を組み上げた後に、ボルト３２を取り付けることができる。【選択図】図２
2010118304.tif 000002
【特許請求の範囲】
【請求項１】
絶縁性部材によって形成され、二次電池本体に設けられた絶縁部と、
前記二次電池本体に収容される発電要素と電気的に接続される電極部と、
前記電極部と電気的に接続し、第１の開口を有する電極接続部と、
箱形状を有して前記絶縁部に設けられ、前記第１の開口に基づく第２の開口を有する固定部と、
基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、
を備えた二次電池の端子構造。
【請求項２】
前記固定部は、側面部に板形状となるように形成された可動部を有し、
前記可動部は、前記基部の前記所定の方向の回転によって前記第２の開口の外方向に変位を行い、前記変位に基づく弾性力によって前記基部の前記所定の方向とは反対方向の回転を規制する請求項１に記載の二次電池の端子構造。
【請求項３】
前記固定部は、側面部に板形状となるように形成された可動部と、前記可動部と前記側面部との間に第３の開口を有し、
前記可動部は、前記基部の前記所定の方向の回転によって前記第２の開口の外方向に変位を行い、
前記基部は、さらに前記所定の方向の回転によって前記第３の開口に嵌り、前記所定の方向、及び前記所定の方向の反対方向の回転を規制される請求項１に記載の二次電池の端子構造。
【請求項４】
前記接続部は、雄ねじ部を有する請求項１に記載の二次電池の端子構造。
【請求項５】
前記基部は、矩形状を有する請求項１に記載の二次電池の端子構造。
【請求項６】
前記基部は、略十字形状を有する請求項１に記載の二次電池の端子構造。
【請求項７】
絶縁性部材によって形成され、二次電池本体に設けられた絶縁部と、
前記二次電池本体に収容される発電要素と電気的に接続される電極部と、
前記電極部と電気的に接続し、第１の開口を有する電極接続部と、
箱形状を有して前記絶縁部に設けられ、前記第１の開口に基づく第２の開口を有する固定部と、
基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、
を有する端子構造を少なくとも１つ備えた二次電池。
【請求項８】
前記固定部は、側面部に板形状となるように形成された可動部を有し、
前記可動部は、前記基部の前記所定の方向の回転によって前記第２の開口の外方向に変位を行い、前記変位に基づく弾性力によって前記基部の前記所定の方向とは反対方向の回転を規制する請求項７に記載の二次電池。
【請求項９】
前記固定部は、側面部に板形状となるように形成された可動部と、前記可動部と前記側面部との間に第３の開口を有し、
前記可動部は、前記基部の前記所定の方向の回転によって前記第２の開口の外方向に変位を行い、
前記基部は、さらに前記所定の方向の回転によって前記第３の開口に嵌り、前記所定の方向、及び前記所定の方向の反対方向の回転を規制される請求項７に記載の二次電池。
【請求項１０】
絶縁性部材によって形成され、二次電池本体に設けられた絶縁部と、前記二次電池本体に収容される発電要素と電気的に接続される電極部と、前記電極部と電気的に接続し、第１の開口を有する電極接続部と、箱形状を有して前記絶縁部に設けられ、前記第１の開口に基づく第２の開口を有する固定部と、基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、を有する端子構造を少なくとも１つ備えた複数の二次電池と、
導電性部材によって形成され、所定の間隔で並べられた隣接する前記二次電池本体に設けられた前記接続端子部同士を電気的に接続する複数の導電板と、
を備えた二次電池モジュール。
【発明の詳細な説明】
【技術分野】
【０００１】
本発明は、二次電池の端子構造、二次電池及び二次電池モジュールに関する。
【背景技術】
【０００２】
従来の技術として、接続部が設けられた端子を有する単位電池と、単位電池の隣接する端子間を連結する連結具と、を備えた電池モジュールが知られている（例えば、特許文献１参照）。
【０００３】
この電池モジュールによると、連結具を端子の接続部に容易に取り付けることができるので、複数の単位電池を容易に連結することができる。
【特許文献１】特開２００８―７１７３３号公報
【発明の開示】
【発明が解決しようとする課題】
【０００４】
しかし、従来の電池モジュールは、端子に雄ねじが形成されており、単位電池の組付けのとき、雄ねじを形成した際の切りくず等が単位電池の内部に混入する可能性があった。
【０００５】
従って本発明の目的は、二次電池を組み上げた後に、接続端子部としてのボルトを取り付けることができる二次電池の端子構造、二次電池及び二次電池モジュールを提供する。
【課題を解決するための手段】
【０００６】
（１）本発明は上記目的を達成するため、二次電池本体に設けられた絶縁部と、前記絶縁部に設けられ、前記二次電池本体に収容される発電要素と電気的に接続される電極部と、前記電極部と電気的に接続し、第１の開口を有する電極接続部と、箱形状を有して前記絶縁部に設けられ、前記第１の開口に基づく第２の開口を有する固定部と、基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、を備えた二次電池の端子構造を提供する。
【０００７】
（２）本発明は上記目的を達成するため、前記固定部は、側面部に板形状となるように形成された可動部を有し、前記可動部は、前記基部の前記所定の方向の回転によって前記第２の開口の外方向に変位を行い、前記変位に基づく弾性力によって前記基部の前記所定の方向とは反対方向の回転を規制する前記（１）に記載の二次電池の端子構造を提供する。
【０００８】
（３）本発明は上記目的を達成するため、前記固定部は、側面部に板形状となるように形成された可動部と、前記可動部と前記側面部との間に第３の開口を有し、前記可動部は、前記基部の前記所定の方向の回転によって前記第２の開口の外方向に変位を行い、前記基部は、さらに前記所定の方向の回転によって前記第３の開口に嵌り、前記所定の方向、及び前記所定の方向の反対方向の回転を規制される前記（１）に記載の二次電池の端子構造を提供する。
【０００９】
（４）本発明は上記目的を達成するため、前記接続部は、雄ねじ部を有する前記（１）に記載の二次電池の端子構造を提供する。
【００１０】
（５）本発明は上記目的を達成するため、前記基部は、矩形状を有する前記（１）に記載の二次電池の端子構造を提供する。
【００１１】
（６）本発明は上記目的を達成するため、前記基部は、略十字形状を有する前記（１）に記載の二次電池の端子構造を提供する。
【００１２】
（７）本発明は上記目的を達成するため、絶縁性部材によって形成され、二次電池本体に設けられた絶縁部と、前記二次電池本体に収容される発電要素と電気的に接続される電極部と、前記電極部と電気的に接続し、第１の開口を有する電極接続部と、箱形状を有して前記絶縁部に設けられ、前記第１の開口に基づく第２の開口を有する固定部と、基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、を有する端子構造を少なくとも１つ備えた二次電池を提供する。
【００１３】
（８）本発明は上記目的を達成するため、前記固定部は、側面部に板形状となるように形成された可動部を有し、前記可動部は、前記基部の前記所定の方向の回転によって前記第２の開口の外方向に変位を行い、前記変位に基づく弾性力によって前記基部の前記所定の方向とは反対方向の回転を規制する前記（７）に記載の二次電池を提供する。
【００１４】
（９）本発明は上記目的を達成するため、前記固定部は、側面部に板形状となるように形成された可動部と、前記可動部と前記側面部との間に第３の開口を有し、前記可動部は、前記基部の前記所定の方向の回転によって前記第２の開口の外方向に変位を行い、前記基部は、さらに前記所定の方向の回転によって前記第３の開口に嵌り、前記所定の方向、及び前記所定の方向の反対方向の回転を規制される前記（７）に記載の二次電池を提供する。
【００１５】
（１０）本発明は上記目的を達成するため、絶縁性部材によって形成され、二次電池本体に設けられた絶縁部と、前記二次電池本体に収容される発電要素と電気的に接続される電極部と、前記電極部と電気的に接続し、第１の開口を有する電極接続部と、箱形状を有して前記絶縁部に設けられ、前記第１の開口に基づく第２の開口を有する固定部と、基部、及び前記基部上に設けられた接続部を有し、前記基部が前記第１の開口を介して前記第２の開口に挿入され、前記基部が前記第２の開口の所定の部分に接触することで、所定の方向の回転を規制される接続端子部と、を有する端子構造を少なくとも１つ備えた複数の二次電池と、導電性部材によって形成され、所定の間隔で並べられた隣接する前記二次電池本体に設けられた前記接続端子部同士を電気的に接続する複数の導電板と、を備えた二次電池モジュールを提供する。
【発明の効果】
【００１６】
このような発明によれば、二次電池を組み上げた後に、接続用のボルトを取り付けることができる。
【発明を実施するための最良の形態】
【００１７】
以下に、本発明の二次電池の端子構造、二次電池及び二次電池モジュールの実施の形態を図面を参考にして詳細に説明する。
【００１８】
[第１の実施の形態]
（電池モジュールの構成）
図１は、本発明の第１の実施の形態に係る電池モジュールの斜視図である。この電池モジュール（二次電池モジュール）１は、本発明における端子構造を正電極端子３及び負電極端子５側に有し、この複数の二次電池２を直列に接続して構成されている。本実施の形態においては、一例として、６つの二次電池２を直列に接続して、１つの電池モジュール１を作製するものとする。
【００１９】
また、電池モジュール１は、隣接する二次電池２を導電性部材によって板形状に形成されたバスバー（導電板）３３を介して電気的に接続して構成されている。
【００２０】
このバスバー３３による接続は、隣接する異なる電極同士、すなわち、正電極端子３と負電極端子５を接続することによって行われる。
【００２１】
（二次電池の構成）
図２は、本発明の第１の実施の形態に係る二次電池の概略図であり、図３は、本発明の第１の実施の形態に係る正電極端子の概略図である。
【００２２】
この二次電池２は、図２に示すように、充電を行うことによって繰り返し使用することができる蓄電池であり、一例として、発電要素としての電極群を内部に収容する本体（二次電池本体）２０と、本発明の端子構造を構成する正電極端子３、プレート（絶縁部）４及び負電極端子５と、を備えて概略構成されている。
【００２３】
（正電極端子の構成）
正電極端子３は、図２に示すように、発電要素の正電極側に接続される正電極板（電極部）３０と、導電性部材によって形成され、プレート４を介して正電極板３０とかしめ部３１２において電気的に接続される接続部（電極接続部）３１と、ボルト（接続端子）３２と、プレート４に設けられ、可動部４１が形成されたボルト固定部（固定部）４０と、を備えて概略構成されている。
【００２４】
接続部３１は、図３に示すように、かしめ部３１２が形成された電極固定部３１０と、ボルト挿入部（第１の開口）３１１と、を備え、ボルト挿入部３１１は、ボルト３２を挿入するため、基部３２０の形状に基づいたボルト挿入部３１１が設けられている。
【００２５】
ボルト３２は、導電性部材によって形成され、矩形状を有する基部３２０と、雄ねじが形成されたねじ山部（接続部）３２１と、ボルト３２を回転させるときに使われる凸部３２２と、を備えて概略構成されている。
【００２６】
（負電極端子の構成）
負電極端子５は、図２に示すように、発電要素の負電極側に接続される負電極板５０と、接続部３１と、ボルト３２と、ボルト固定部４０と、を備えて概略構成されている。なお、以下において、同様の形状、機能、及び構成を有する部分については、同じ符号を付し、その説明は省略するものとする。
【００２７】
負電極端子５は、バスバー３３を介して隣接する二次電池の正電極端子と接続され、その接続は、上記の正電極端子３と同様に行われる。なお、上記した正電極端子３と負電極端子５は、主たる構成は同一であるので、以下においては、主に正電極端子３を例に取って説明を行う。
【００２８】
（ボルト固定部の構成）
図４は、本発明の第１の実施の形態に係るボルト固定部の上面図である。図４は、接続部３１を取り外した状態でボルト固定部４０を上方から見た図である。
【００２９】
このボルト固定部４０は、図４に示すように、可動部４１と、開口（第３の開口）４２と、端部（所定の部分）４３と、挿入孔（第２の開口）４４と、を備えて概略構成されている。
【００３０】
可動部４１は、ボルト固定部４０の側面部に板形状となるように形成され、点対称となるように設けられている。また、可動部４１は、ボルト３２の基部３２０の所定の方向の回転に基づいて外側に向けて変形するよう構成されている。
【００３１】
ここで所定の方向とは、ボルト３２のねじ山部３２１に基づいて決まる方向であり、一例として、ねじ山部３２１が、右ねじであるとき、図４において、時計回りの方向を指すものとする。
【００３２】
開口４２は、一例として、ボルト３２の基部３２０の短手方向の幅に対応して設けられており、ボルト３２の所定の方向の回転に基づいて基部３２０が嵌るように構成されており、嵌ることによって、ボルト３２は、所定の方向の回転の反対方向の回転を規制される。
【００３３】
端部４３は、ボルト３２の所定の方向の回転を規制するものである。
【００３４】
挿入孔４４は、点対称となる形状を有している。
【００３５】
プレート４に設けられた電極挿入孔４００は、正電極板３０の先端部が挿入される孔であり、この電極挿入孔４００と接続部３１の対応する穴を介して先端部を突出させたのち、ハイスピンカシメ等の公知の方法によってかしめ部３１２が形成される。
【００３６】
（動作）
以下に、本実施の形態における二次電池に関する動作を各図を参照して詳細に説明する。まず、二次電池２にボルト３２を固定する動作について説明する。なお、二次電池２は、ボルト３２、バスバー３３、ナット３４以外は、既に組付けられているものとする。
【００３７】
図５（ａ）は、本発明の第１の実施の形態に係るボルト挿入時のボルト固定部の図３におけるＡ−Ａ線断面図であり、（ｂ）は、ボルトを所定の方向に回転させた断面図であり、（ｃ）は、ボルトの回転が終了したときの断面図であり、図６は、本発明の第１の実施の形態に係る図３のＢ−Ｂ線断面図である。図５（ａ）、（ｂ）及び（ｃ）は、接続部３１の一部と、ボルト３２のねじ山部３２１が断面として示されている。
【００３８】
作業者は、図３に示すように、基部３２０の方向を接続部３１の挿入孔３１３に合わせながら基部３２０を挿入孔３１３に挿入する。
【００３９】
作業者は、挿入されたボルト３２の凸部３２２を工具で挟むと、図５（ａ）に示す状態から所定の方向として矢印Ｃ方向（時計回り）にボルト３２を回転させる。
【００４０】
ボルト３２は、矢印Ｃ方向に回転すると、基部３２０の先端部が可動部４１に接触し、さらに回転すると、図５（ｂ）に示すように、可動部４１を外側に向けて弾性変形させる。
【００４１】
作業者は、続けてボルト３２を回転させると、図５（ｃ）に示すように、ボルト３２の基部３２０の先端部が、開口４２に嵌り、弾性変形していた可動部４１は、元の状態に復帰する。
【００４２】
ボルト３２は、図５（ｃ）に示すように、端部４３によって矢印Ｃ方向の回転を規制され、また可動部４１の側面部によって矢印Ｃ方向とは反対の方向の回転を規制される。
【００４３】
作業者は、バスバー３３をねじ山部３２１に挿入し、続いて、ナット３４をねじ山部３２１に挿入する。作業者は、所定の方向にナット３４を回転させ、ナット３４によってバスバー３３と接続部３１を固定する。
【００４４】
また、作業員は、図１に示す電池モジュール１を組み立てるため、二次電池２を所定の間隔で並べ、隣接する二次電池２の負電極端子５のボルト３２にバスバー３３を挿入し、ナット３４をボルト３２に挿入し、バスバー３３と接続部３１を固定する。
【００４５】
このとき、図６に示すように、ボルト３２は、上下左右方向に余裕があるため、隣接する二次電池２に高低差等が生じていても、確実に隣接する二次電池２を接続することができる。
【００４６】
（効果）
（１）上記した第１の実施の形態における二次電池２によれば、正電極端子３、プレート４及び負電極端子５を本体２０に組付けたのちに、ボルト３２を二次電池２に取り付けることができるので、本体２０内にボルト３２の切りくずといった不純物の混入を防止することができる。
【００４７】
（２）上記した第１の実施の形態における二次電池２によれば、複数の二次電池２を所定の間隔に並べて電池モジュール１を作製するとき、各二次電池２に高低差が生じていても、ボルト３２の取り付けに余裕があるため、隣接する二次電池２とのバスバー３３を介した電気的な接続を正確に行うことができる。
【００４８】
（３）上記した第１の実施の形態における二次電池２によれば、簡単な構成でボルト３２をボルト固定部４０に保持することができる。
【００４９】
（４）上記した第１の実施の形態における二次電池２によれば、ボルト３２は、ねじ山部３２１を有しているので、ナット３４を用いて容易にバスバー３３を接続部３１に電気的に接続することができる。
【００５０】
（５）上記した第１の実施の形態における二次電池２によれば、ボルト３２は、矩形状を備えた基部３２０を有しているので、接続部３１との接点を広くとることができ、接続部３１との電気的な接続を確実に行うことができる。
【００５１】
（６）上記した第１の実施の形態における二次電池２によれば、ボルト３２は、矩形状を備えた基部３２０を有しているので、ボルト固定部４０に容易に固定することができる。
【００５２】
（７）上記した第１の実施の形態における二次電池２によれば、隣接する二次電池２の電極端子同士を容易に接続することができるので、電池モジュール１の作製が容易となる。
【００５３】
（８）上記した第１の実施の形態における二次電池２によれば、ボルト固定部４０の短方向を短くできるため、二次電池２の薄型化にも対応することができる。
【００５４】
[第２の実施の形態]
（ボルト固定部の構成）
図７（ａ）は、本発明の第２の実施の形態に係るボルト固定部の概略図であり、（ｂ）は、ボルトを回転させたときのボルト固定部の概略図である。図７（ａ）及び（ｂ）は、ボルト固定部４０ａの図３のＡ−Ａ線断面図を表している。以下に第１の実施の形態と同様の機能、及び構成を有する部分については、共通の符号を付し、説明は省略するものとする。
【００５５】
第２の実施の形態は、第１の実施の形態と比べて、ボルト３２が挿入される挿入孔４４ａの形状が異なっている。
【００５６】
ボルト固定部４０ａは、開口方向に延伸した可動部４１ａと、延伸に伴って幅が狭くなった開口４２ａと、可動部４１ａの延伸によって形状が変化した挿入孔４４ａと、を備えて概略構成されている。なお、ボルト３２の形状及び機能は、第１の実施の形態と同様である。
【００５７】
（動作）
作業者は、基部３２０の方向を接続部３１の挿入孔３１３に合わせながら基部３２０を挿入孔３１３に挿入する。
【００５８】
作業者は、挿入されたボルト３２の凸部３２２を工具で挟むと、図７（ａ）に示す状態から矢印Ｃ方向にボルト３２を回転させる。
【００５９】
ボルト３２は、矢印Ｃ方向に回転すると、その先端部が可動部４１ａに接触し、さらに回転すると、図７（ｂ）に示すように、可動部４１ａを外側に向けて弾性変形させる。
【００６０】
作業者は、続けてボルト３２を回転させると、ボルト３２の基部３２０は、可動部４１ａを弾性変形させながらその側面部が端部４３に接触する。
【００６１】
ボルト３２は、図７（ｂ）に示すように、端部４３によって矢印Ｃ方向の回転を規制され、可動部４１ａの弾性力によって矢印Ｃ方向とは反対の方向の回転を規制される。
【００６２】
作業者は、バスバー３３をねじ山部３２１に挿入し、続いて、ナット３４をねじ山部３２１に挿入する。作業者は、所定の方向にナット３４を回転させ、ナット３４によってバスバー３３と接続部３１を固定する。
【００６３】
電池モジュール１の作製については、第１の実施の形態と同様に行われる。
【００６４】
（効果）
（１）上記した第２の実施の形態における二次電池２によれば、容易にボルト３２をボルト固定部４０ａから取り外すことができる。なお、以下における各実施の形態において、第１の実施の形態の効果とは異なる点について記載するものとする。
【００６５】
[第３の実施の形態]
（ボルト固定部の構成）
図８（ａ）は、本発明の第３の実施の形態に係るボルト固定部の概略図であり、（ｂ）は、ボルトを回転させたときのボルト固定部の概略図である。
【００６６】
第３の実施の形態におけるボルト固定部４０ｂは、図７（ａ）に示す端部４３を端部４３ａとしたものであり、それに伴って開口４２ｂの形状、及び挿入孔４４ｂの形状が変化している。
【００６７】
端部４３ａは、ボルト３２の基部３２０が矢印Ｃ方向に回転するとき、基部３２０の先端部が開口４２ｂに嵌るように設けられている。
【００６８】
（動作）
作業者は、基部３２０の方向を接続部３１の挿入孔３１３に合わせながら基部３２０を挿入孔３１３に挿入する。
【００６９】
作業者は、挿入されたボルト３２の凸部３２２を工具で挟むと、図８（ａ）に示す状態から矢印Ｃ方向にボルト３２を回転させる。
【００７０】
ボルト３２は、矢印Ｃ方向に回転すると、その先端部が可動部４１ａに接触し、さらに回転すると、可動部４１ａを外側に向けて弾性変形させる。
【００７１】
作業者は、続けてボルト３２を回転させると、基部３２０の側面部が、端部４３ａに接触する。
【００７２】
ボルト３２は、図８（ｂ）に示すように、端部４３ａによって矢印Ｃ方向の回転を規制され、可動部４１ａによって矢印Ｃ方向とは反対の方向の回転を規制される。
【００７３】
作業者は、バスバー３３をねじ山部３２１に挿入し、続いて、ナット３４をねじ山部３２１に挿入する。作業者は、所定の方向にナット３４を回転させ、ナット３４によってバスバー３３と接続部３１を固定する。
【００７４】
電池モジュール１の作製については、第１の実施の形態と同様に行われる。
【００７５】
（効果）
（１）上記した第３の実施の形態における二次電池２によれば、容易にボルト３２を取り付けることができる。
【００７６】
[第４の実施の形態]
（正電極端子の構成）
図９は、本発明の第４の実施の形態に係る正電極端子の概略図であり、図１０（ａ）は、本発明の第４の実施の形態に係るボルト固定部の概略図であり、（ｂ）は、ボルトを回転させたときのボルト固定部の概略図であり、図１１は、本発明の第４の実施の形態に係る接続部の挿入孔を裏から見た概略図である。
【００７７】
第４の実施の形態におけるボルト３２ａは、上記の実施の形態のボルト３２に比べ、その基部の形状が異なっている。ボルト３２ａは、略十字形状を有する基部３２０ａを有している。
【００７８】
また、接続部３１ａは、図９に示すように、ボルト３２ａの基部３２０ａに合わせて、ボルト挿入部３１１ａに略十字形状の挿入孔３１３ａを有している。
【００７９】
ボルト固定部４０ｃは、図１０（ａ）及び（ｂ）に示すように、可動部４１ｂと、端部４３ｂと、開口４２ｃと、挿入孔４４ｃと、を備えて概略構成されている。
【００８０】
（動作）
作業者は、基部３２０ａの方向を接続部３１ａの挿入孔３１３ａに合わせながら基部３２０ａを挿入孔３１３ａに挿入する。
【００８１】
作業者は、挿入されたボルト３２ａの凸部３２２を工具で挟むと、図１０（ａ）の状態から矢印Ｃ方向にボルト３２ａを回転させる。
【００８２】
ボルト３２ａは、矢印Ｃ方向に回転すると、基部３２０ａの先端部が可動部４１ａに接触し、さらに回転すると、可動部４１ａを外側に向けて弾性変形させる。
【００８３】
作業者は、続けてボルト３２ａを回転させると、図１０（ｂ）に示すように、ボルト３２ａの基部３２０ａの先端部が、開口４２ｃに嵌り、弾性変形していた可動部４１ｂは、元の状態に復帰する。
【００８４】
ボルト３２ａは、図１０（ｂ）に示すように、端部４３ｂによって矢印Ｃ方向の回転を規制され、可動部４１ａの弾性力によって矢印Ｃ方向とは反対の方向の回転を規制される。
【００８５】
作業者は、バスバー３３をねじ山部３２１に挿入し、続いて、ナット３４をねじ山部３２１に挿入する。作業者は、所定の方向にナット３４を回転させ、ナット３４によってバスバー３３と接続部３１を固定する。
【００８６】
このとき、図１１に示すように、基部３２０ａは、略十字形状を有しているので、接続部３１ａとの接点がより広く取れ、その結果、ナット３４による固定に基づいた接続部３１ａの座屈を防止することができる。
【００８７】
電池モジュール１の作製については、第１の実施の形態と同様に行われる。
【００８８】
（効果）
（１）上記した第４の実施の形態における二次電池２によれば、基部３２０ａが、略十字形状を有しているので、ナット３４による固定に基づいた接続部３１ａの座屈を防止することができる。
【００８９】
（２）上記した第４の実施の形態における二次電池２によれば、基部３２０ａが、略十字形状を有しているので、接続部３１ａとの接点をより広く取れるので、確実な電気的な接続を行うことができる。
【００９０】
（他の実施の形態について）
（１）上記した実施の形態において接続部３１、３１ａと、基部３２０、３２０ａとの間に介在する部材は存在しなかったが、座屈防止用の金属ワッシャー等を接続部３１、３１ａにインサート成形等によって設けても良い。
【００９１】
（２）上記した実施の形態において接続端子部としてねじ山部３２１を有するボルト３２、３２ａを用いたが、これに限定されず、バスバー３３を固定できる他の構成、例えば、バスバー３３を接続端子部の接続部に直接ボルトで固定する等の構成であっても良い。
【００９２】
なお、本発明は、上記した実施の形態に限定されず、本発明の技術思想を逸脱あるいは変更しない範囲内で種々の変形、及び組み合わせが可能である。
【図面の簡単な説明】
【００９３】
【図１】本発明の第１の実施の形態に係る電池モジュールの斜視図である。
【図２】本発明の第１の実施の形態に係る二次電池の概略図である。
【図３】本発明の第１の実施の形態に係る正電極端子の概略図である。
【図４】本発明の第１の実施の形態に係るボルト固定部の上面図である。
【図５】（ａ）は、本発明の第１の実施の形態に係るボルト挿入時のボルト固定部の図３におけるＡ−Ａ線断面図であり、（ｂ）は、ボルトを所定の方向に回転させた断面図であり、（ｃ）は、ボルトの回転が終了したときの断面図である。
【図６】本発明の第１の実施の形態に係る図３のＢ−Ｂ線断面図である。
【図７】（ａ）は、本発明の第２の実施の形態に係るボルト固定部の概略図であり、（ｂ）は、ボルトを回転させたときのボルト固定部の概略図である。
【図８】（ａ）は、本発明の第３の実施の形態に係るボルト固定部の概略図であり、（ｂ）は、ボルトを回転させたときのボルト固定部の概略図である。
【図９】本発明の第４の実施の形態に係る正電極端子の概略図である。
【図１０】（ａ）は、本発明の第４の実施の形態に係るボルト固定部の概略図であり、（ｂ）は、ボルトを回転させたときのボルト固定部の概略図である。
【図１１】本発明の第４の実施の形態に係る接続部の挿入孔を裏から見た概略図である。
【符号の説明】
【００９４】
１…電池モジュール、２…二次電池、３…正電極端子、４…プレート、５…負電極端、２０…本体、３０…正電極板、３１、３１ａ…接続部、３２、３２ａ…ボルト、３３…バスバー、３４…ナット、４０、４０ａ〜４０ｃ…ボルト固定部、４１、４１ａ〜４１ｂ…可動部、４２、４２ａ〜４２ｃ…開口、４３…端部、４３ａ〜４３ｂ…端部、４４、４４ａ〜４４ｃ…挿入孔、５０…負電極板、３１０…電極固定部、３１１、３１１ａ…ボルト挿入部、３１２…かしめ部、３１３、３１３ａ…挿入孔、３２０、３２０ａ…基部、３２１…ねじ山部、３２２…凸部、４００…電極挿入孔
【図１】
2010118304.tif 000003
【図２】
2010118304.tif 000004
【図３】
2010118304.tif 000005
【図４】
2010118304.tif 000006
【図５】
2010118304.tif 000007
【図６】
2010118304.tif 000008
【図７】
2010118304.tif 000009
【図８】
2010118304.tif 000010
【図９】
2010118304.tif 000011
【図１０】
2010118304.tif 000012
【図１１】
2010118304.tif 000013